(57)【特許請求の範囲】
【請求項１】
偽造の光ＣＤ−ＲＯＭの製作を阻止するためのガラスマスタを作るための装置であって、
記録しようとする符号化されたデータを上記ガラスマスタに供給する入力源と、受信した信号に従って該ガラスマスタを作るレコーダとを有するマスタリング装置と一緒に使用するものにおいて、
上記ガラスマスタに第１の傷を作るためのランダム高周波信号を供給する信号源と、
上記レコーダを上記信号源に電気接続するためのスイッチと、
上記スイッチを制御して上記信号源と上記レコーダとを電気接続し、上記ガラスマスタの選択されたアドレスに上記第１の傷を作ることを可能にする中央処理ユニット（ＣＰＵ）であって、上記傷はガラスマスタから製造されるＣＤ−ＲＯＭにおける所定のエラー信号の発生を引き起こすようにした、偽造の光ＣＤ−ＲＯＭの製作を阻止するためのガラスマスタを作るためのガラスマスタ暗号化装置。
【請求項２】
上記選択されたアドレスを選択するための端子手段を更に含む請求項１記載のガラスマスタ暗号化装置。
【請求項３】
上記符号化されたデータはＥＦＭ符号化データである請求項１記載のガラスマスタ暗号化装置。
【請求項４】
上記選択されたアドレスは、セクタ・アドレスである請求項１記載のガラスマスタ暗号化装置。
【請求項５】
偽造の光ＣＤ−ＲＯＭの製作を阻止するためのガラスマスタを作るための装置であって、
セクタ・アドレス情報を含む符号化されたデータを供給する入力源と、受信した信号に従って上記ガラスマスタを作るレコーダとを有するマスタリング装置と一緒に使用するものにおいて、
上記ガラスマスタに第１の傷を作るためのランダム高周波信号を供給する信号源と、
上記レコーダを上記入力源又は上記信号源のいずれか一方に接続するスイッチと、
上記符号化されたデータ及び上記セクタ・アドレス情報を復号して復号されたデータを供給するデコーダと、
上記デコーダに結合され、上記復号されたデータの中に選択されたアドレスが存在するかどうかを検出する中央処理ユニット（ＣＰＵ）であって、
上記選択されたセクタ・アドレスが検出されると、該ＣＰＵは、上記スイッチを制御して上記信号源を上記レコーダに接続し、これにより上記ランダム高周波信号が上記選択されたアドレスに上記第１の傷を作れるようにし、該第１の傷は、上記ガラスマスタから作られたＣＤ−ＲＯＭの中では裸眼に見えないものであり、
上記ガラスマスタから作られた上記ＣＤ−ＲＯＭが再生されると、該ＣＤ−ＲＯＭが偽造でないことを示す所定のエラー信号が発生され、上記ＣＤ−ＲＯＭを複写する目的で上記ガラスマスタから作られた上記ＣＤ−ＲＯＭが再生されると、正確に複写されない上記第１の傷を作る制御を行う上記中央処理ユニットと、
上記符号化されたデータから上記セクタ・アドレスを選択する選択手段とを具えた偽造の光ＣＤ−ＲＯＭの製作を阻止するためのガラスマスタ暗号化装置。
【請求項６】
上記選択手段はコンピュータ端子である請求項５記載のガラスマスタ暗号化装置。
【請求項７】
上記符号化されたデータはＥＦＭ符号化データである請求項５記載のガラスマスタ暗号化装置。
【請求項８】
上記選択されたアドレスはセクタ・アドレスである請求項５記載のガラスマスタ暗号化装置。
【請求項９】
偽造ＣＤ−ＲＯＭの製作を阻止するために所定のアドレスに傷をもつガラスマスタを作るマスタリング方式であって、
アドレス情報を含む符号化されたデータをもつ入力信号を供給する入力源と、
第１の傷を作るランダム高周波信号を供給する信号源と、
受信した信号に従って上記ガラスマスタを作るレコーダと、
上記レコーダを上記入力源又は上記信号源のいずれか一方に接続するスイッチと、
上記符号化されたデータ及び上記アドレス情報を復号して復号されたデータを供給するデコーダと、
上記デコーダに結合され、上記符号化されたデータの中に選択されたアドレスが存在するかどうかを検出する中央処理ユニット（ＣＰＵ）であって、
上記選択されたアドレスが検出されないと、該ＣＰＵは、上記スイッチを制御し上記レコーダを上記入力源に接続して上記ガラスマスタを作れるようにし、
上記選択されたアドレスが検出されると、上記ＣＰＵは、上記スイッチを制御し上記信号源からの上記ランダム高周波信号が供給されるように接続して上記選択されたアドレスに上記第１の傷を作れるようにし、該第１の傷は、上記ガラスマスタから作られたＣＤ−ＲＯＭの中では裸眼に見えないものであり、
上記ガラスマスタから作られた上記ＣＤ−ＲＯＭが再生されると、該ＣＤ−ＲＯＭが偽造でないことを示す所定のエラー信号が発生され、上記ＣＤ−ＲＯＭを複写する目的で上記ガラスマスタから作られた上記ＣＤ−ＲＯＭが再生されると、正確に複写されない上記第１の傷を作る制御を行う上記中央処理ユニットとを具えたマスタリング方式。
【請求項１０】
上記選択されたアドレスを選択するための端子手段を更に含む請求項９記載のマスタリング方式。
【請求項１１】
上記符号化されたデータはＥＦＭ符号化データである請求項９記載のマスタリング方式。
【請求項１２】
上記選択されたアドレスはセクタ・アドレスである請求項９記載のマスタリング方式。
【請求項１３】
傷をもつガラスマスタを作る方法であって、
（ａ）上記ガラスマスタを作るために入力信号をレコーダに供給するステップと、
（ｂ）第１の傷を作るためのランダム高周波信号を発生するステップと、
（ｃ）上記第１の傷を作るべき所定のアドレスを選択するステップと、
（ｄ）上記ランダム高周波信号を上記レコーダに供給して上記所定のアドレスに上記第１の傷を作り、上記第１の傷は、偽造ＣＤ−ＲＯＭの製作を阻止するために、ガラスマスタから製作されたＣＤ−ＲＯＭにおいて所定のエラー信号の発生を引き起こすステップとを含むガラスマスタを作る方法。
【請求項１４】
上記入力信号は符号化されたアドレス情報を含み、該符号化されたアドレス情報を復号するステップを更に含む請求項１３記載のガラスマスタを作る方法。
【請求項１５】
上記入力信号はＥＦＭ符号化データを含む請求項１３記載のガラスマスタを作る方法。
【請求項１６】
ＣＤ−ＲＯＭの非合法的な複製を阻止するように改変されたＣＤ−ＲＯＭであって、デジタル符号化されたデータを記憶する信号面をもつディスク状要素を含み、上記データは該信号面に形成されたピット及びランドによって表され、上記信号面の予め位置が定められている一部分は、当該ＣＤ−ＲＯＭを製作する際のガラスマスタの所定のアドレスに作成された傷により、上記ＣＤ−ＲＯＭが再生されるときにエラー信号を発生するデータを供給するように作られており、上記一部分はランダム高周波信号で作られており、裸眼には見えず、上記エラー信号は上記ＣＤ−ＲＯＭが模造品でないことを示すＣＤ−ＲＯＭ。
【請求項１７】
上記データは複数のセクタを含み、上記一部分は少なくとも１つのセクタを含む請求項１６記載のＣＤ−ＲＯＭ。
【発明の詳細な説明】
【０００１】
【発明の属する技術分野】
本発明は、光ＣＤ−ＲＯＭの模造品の探知に関するものである。もっと詳しくいえば、ＣＤ−ＲＯＭを複製する金属マスタ（ディスク原盤）を作るのに用いる光ＣＤ−ＲＯＭガラスマスタ上の所定位置に予め定めた傷を作る装置であって、複製されたＣＤ−ＲＯＭを再生すると、所定アドレスに所望のエラー信号が発生され、偽造のＣＤ−ＲＯＭを再生すると、所定アドレスに所望のエラー信号が発生されないことにより、ＣＤ−ＲＯＭの模造品を探知できるようにしたものに関する。
【０００２】
【従来の技術】
従来のＣＤ−ＲＯＭマスタリング（原盤製作）装置では、当業者に周知の方法で符号化されたデータを供給する入力（データ）源を使用する。この符号化されたデータはレーザビームレコーダ（ＬＢＲ）に送られ、該レコーダは、該符号化データを用いてガラスディスクの面を選択的にレーザビームに当てる。該ガラスディスクはそれから化学的に処理され、最終的に、ＣＤ−ＲＯＭを複製する金属マスタを作るのに使用する原型のガラスマスタが作られる。また、ディスクから直接マスタを作る技術の出現により、複製のＣＤ−ＲＯＭもガラスマスタの製作に使えるようになった。しかし、この技術はまた、偽造者が複製ＣＤ−ＲＯＭを使って偽造ガラスマスタを作りＣＤ−ＲＯＭの模造品を作ることを可能とした。かような違法の複製、即ち著作権侵害は産業界に大きな問題を引起し、海賊行為の排除を目的とする組織が形成されるに至っている。更に、かかる非合法複製は、合法的なＣＤ−ＲＯＭ製作者に年間２．６億ドルを越える損害を与えると見積もられている。この点に関しては、「One to One」の１９９４年２月版、１６ページの「GATT-TRIPS‥‥And Falls Over」と題する論文を参照されたい。
【０００３】
合法的に製作されたＣＤ−ＲＯＭと模造品を区別するため、ＣＤ−ＲＯＭを識別する種々の方法が用いられてきた。或る方法は、ＪＶＣによって提案された「Maple Leaf」と呼ばれる処理により、ＣＤ−ＲＯＭの上に連続番号を形成するものである。他の方法は、ＣＤが複製された、またマスタが最初に作られた製造施設を識別する、ソース識別コード（ＳＩＤコード）として知られるコードを使用するものである。この点に関しては、「One to One」の１９９４年２月版及び１９９４年３月／４月版における５ページの「SID code:Majors move ahead」及び２６ページの「SID Code finalised-now it's official」と題する論文を夫々参照されたい。
【０００４】
また、バーコードもＣＤ−ＲＯＭの識別に使用されてきた。この点に関しては、Optical Disc Corporationによって発行され「Disc Label Designer(TM)Graphic Editor & Disc Label Generator」と題する刊行物を参照されたい。これには、テキスト及びバーコード情報をディスクの内側近くに挿入することが記載されている。なお、記載されてはいないが、この方法に使われる設備はまた、偽造ディスクを合法に製作されたディスクと区別するために、ディスクのプログラム領域にテキスト又は文字などを発生するのに使用できると思われる。また、Sony Corporationは、バーコードやテキスト情報をディスクの内側近くに形成するバーコード／テキスト発生器を製作している。
【０００５】
染料もまた、ＣＤ−ＲＯＭの識別に用いられてきた。この方法では、選択した染料をＣＤ−ＲＯＭの保護層に加えている。この染料は、選択された光源に曝（さら）すと、特定の製造施設を識別する色を帯びた光を発する。こうすれば、各製造施設を識別するのに選択した色を使うことができる。
【０００６】
しかし、これらの各方法には、かような識別情報が、手に入る技術を使う偽造者によって容易に且つ正確に模倣される、という欠点がある。その結果、合法ＣＤ−ＲＯＭと全く区別がつかず、従って探知できない非合法複製ＣＤ−ＲＯＭが、偽造者によって作られている。
【０００７】
この点に関して、ＣＤ−ＲＯＭの製作者を識別するため、Nimbus, Replicate Stage 又はD.B.C./Holographic Labelとして知られるホログラム技術が使われてきた。本質的に、この方法は、裸眼で見えるホログラム画像をＣＤ−ＲＯＭ上に形成するものである。この形成される画像を模写することは難しいので、違法複製ＣＤ−ＲＯＭを容易に識別することができる。ほかに、Sonopress によって導入された「waterspot 」技術を使用する方法がある。この方法では、裸眼で見えるが模写が難しいパターンをディスク上に形成している。このパターンは、テキストでも図形でもよく、ディスクの情報領域のどこに配してもよい。しかし、これらの方法の欠点は、ＣＤ−ＲＯＭの内容が依然として正確に複写され、従来の設備で違法ＣＤ−ＲＯＭを再生するのに何も影響を与えないことである。その結果、偽造者はディスクの違法複製を殆ど諦めていない。なお、これらの技術はＣＤ−ＲＯＭで実施するには高くつくことが分かっている。
【０００８】
このような次第で、ＣＤ−ＲＯＭの複写を阻止するための努力が払われてきた。この点に関し、本発明の譲り受け人であるDigital Audio Disc Corporationに譲渡された同時係属米国特許出願第08/132,709号に、ソフトウェアによって検出可能なコードを作るため、ディスクの多様（マルチ）情報領域を破壊する方法が記載されている。その情報領域は、ディスクを製作し終わった後に破壊されている。しかし、破壊された情報領域は、裸眼で見えるように十分に大きくしており、潜在的偽造者が発見することができる。
【０００９】
【発明が解決しようとする課題】
したがって、本発明の課題は、光ＣＤ−ＲＯＭガラスマスタの所定位置に、正確には複写できない所定の傷を作ることにより、ＣＤ−ＲＯＭの正確な複製が不可能となる次の如き装置を提供することである。即ち、該ガラスマスタから作った複製ＣＤ−ＲＯＭの中には上記の傷が裸眼で見えず、その複製ＣＤ−ＲＯＭを再生するときは、所定のアドレスに該ＣＤ−ＲＯＭが模造品でないことを示す所望のエラー信号が発生され、偽造ＣＤ−ＲＯＭを再生するときは、所定のアドレスに所望のエラー信号が発生されず、これにより偽造ＣＤ−ＲＯＭの発見が可能となり、こうして該ＣＤ−ＲＯＭを使用不能とし、潜在的偽造者を十分諦めさせることができる装置である。
【００１０】
【課題を解決するための手段】
本発明は、光ＣＤ−ＲＯＭの偽造を阻止するようにガラスマスタを暗号化する装置を提供する。本装置は、セクタ・アドレス情報を含むＥＦＭ符号化されたデータを供給する入力源と、受信信号に従ってガラスマスタを作るためのレコーダとを有するマスタリング装置と一緒に使用するものである。詳しくいうと、本装置は、ガラスマスタに所定の傷を作るための第１の信号を供給する信号源と、レコーダを入力源又は信号源のいずれか一方に接続するスイッチとを具える。本装置はまた、ＥＦＭ符号化データ及びセクタ・アドレス情報を復号して復号されたデータを供給するデコーダを有する。更に、該デコーダに、選択されたセクタ・アドレスを復号データの中から検出する動作を行う中央処理ユニット（ＣＰＵ）が結合される。ＣＰＵは、セクタ・アドレスを検出すると、スイッチを制御してレコーダを信号源を接続し、レコーダに第１の信号を供給して選択されたセクタ・アドレスに所定の傷を作る。これにより、上記ガラスマスタから作られたＣＤ−ＲＯＭを再生したとき、該ＣＤ−ＲＯＭが模造品でないことを示す所定のエラー信号が該セクタ・アドレスに発生され、偽造ＣＤ−ＲＯＭを再生したときは、所定のエラー信号が上記セクタ・アドレスに発生されず、従って該ＣＤ−ＲＯＭが模造品であることを示す。なお、ＣＤ−ＲＯＭ上の傷は裸眼では見えない。
【００１１】
【発明の実施の形態】
以下、図面を参照して本発明を具体的に説明する。
図１は、本発明によるマスタリング装置の概略を示すブロック図である。
図２は、本発明によるガラスマスタ暗号化装置の要部を示す図である。
図３は、所定の傷を付けたＣＤ−ＲＯＭを示す平面図である。
図１には、偽造の光ＣＤ−ＲＯＭを発見できるようにガラスマスタを暗号化するためのマスタリング装置が示されている。従来のＣＤ−ＲＯＭマスタリングと同様に、当業者に周知の８−１４変換（ＥＦＭ）を用いて符号化したデータを供給する入力源１２を使用する。ＥＦＭ符号化されたデータはそれからレーザビームレコーダ（ＬＢＲ）１４に送信され、該レコーダは、ＥＦＭ符号化データを用いてガラスディスクの面を選択的にレーザビームに当てる。ガラスディスクはそれから化学的に処理され、最終的に、ＣＤ−ＲＯＭが複製される金属マスタを作るのに用いる原型のガラスマスタが作られる。本発明によれば、ガラスマスタ暗号化装置１０は、入力源１２及びＬＢＲ１４間に配置される。該装置１０は、ガラスマスタの所定位置に所望の傷を最終的に作ることのできるスイッチング装置１６を含む。ＣＤ−ＲＯＭには、３３３，０００ブロック又はセクタを有し各セクタが２０４８バイトのユーザ・データを含むものがある。好適な実施形態では、傷を作るため少なくとも１つのセクタを破壊する。また、傷の形状や大きさは、傷を付けたＣＤ−ＲＯＭを見たとき、その傷が裸眼（補助具なし）では見えないようなものがよい。暗号化装置１０はまた、所望のセクタ（１又はそれ以上）にデータ・エラーを生成するのに適当なランダム高周波（ＨＦ）信号を供給する信号源１８を含む。該装置１０は更に、ユーザが、破壊しようとするセクタの位置又はセクタ・アドレスを決めることのできるコンピュータ端子２０を含む。
【００１２】
図２は、図１のガラスマスタ暗号化装置１０の要部であるスイッチング装置１６の概要を示すものである。スイッチング装置１６は、ＥＦＭデコーダ２２、第１（２６）、第２（２８）及び第３（３０）のスイッチ端子を有するアナログ・スイッチ２４、並びに、制御線３４を有しアナログ・スイッチ２４を制御するＣＰＵ３２を含む。スイッチング装置１６はまた、データ入力端子３６、セクタ・アドレス入力端子３８、信号入力端子４０及び出力端子４２を含む。データ入力端子３６は、第１スイッチ端子２６及びＥＦＭデコーダ２２に接続される。ＣＰＵ３２は、セクタ・アドレス入力端子３８に接続され、ＥＦＭデコーダ２２と結合される。信号入力端子４０は、第２スイッチ端子２８に接続される。データ（３６）、セクタ・アドレス（３８）及び信号（４０）の各入力端子は、夫々図１の入力源１２、コンピュータ端子２０及び信号源１８と接続される。また、出力端子４２は、第３スイッチ端子３０及びＬＢＲ１４に接続される。アナログ・スイッチ２４は、制御線３４によってオン（導通）にされるとき第１（２６）及び第３（３０）スイッチ端子を電気的に接続し、また、制御線３４によってオフ（遮断）にされるとき第２（２８）及び第３（３０）スイッチ端子を電気的に接続する。
【００１３】
平常動作時、アナログ・スイッチ２４はオンにされており、従って、符号化されたアドレス情報を含むＥＦＭ符号化データが入力源１２より供給され、データストリームとして出力端子４２に、最終的にはＬＢＲ１４に送られる。ＬＢＲ１４はそれから、ＥＦＭ符号化データに従ってガラスディスクの面を選択的にレーザビームに当てるように動作する。更に、入力源１２からのＥＦＭ符号化データはＥＦＭデコーダ２２にも送られ、そこで、アドレス情報が復号されＣＰＵ３２に供給される。本発明では、ユーザは、コンピュータ端子２０を用いて、破壊しようとする所望セクタに対するセクタ・アドレスをＣＰＵ３２に入力させる。ＣＰＵ３２はそれから、復号されたアドレス情報を監視し、セクタ・アドレスが存在するかどうかを調べる。セクタ・アドレスを見付けると、ＣＰＵ３２は、アナログ・スイッチ２４を制御線３４を介して制御し、アナログ・スイッチ２４をオフにする。これにより、入力源１２より供給されていたデータストリームが中断され、信号源１８が接続されるので、ランダムＨＦ信号がＬＢＲ１４に送られる。そうすると、ＬＢＲ１４は、ガラスディスク面をランダムＨＦ信号に従うレーザビームに当てるように動作する。これが終了すると、ＣＰＵ３２は、アナログ・スイッチ２４を制御線３４により制御して、アナログ・スイッチ２４をオンにする。これにより、ＥＦＭ符号化データの送信が再開され、ガラスディスク面は、再び選択的にＥＦＭ符号化データに従ったレーザビームに当てられる。完了すると、ガラスディスクは周知の方法で化学処理され、最終的に、所定アドレスに傷がある暗号化されたガラスマスタが出来上がる。この暗号化されたガラスマスタは、あとで金属マスタの製作に使われ、それから、各々が所定アドレスに傷をもつ暗号化されたＣＤ−ＲＯＭが製作されることになる。
【００１４】
データをチェックする製造過程で、ＣＤ−ＲＯＭドライブ（作動装置）を具えたＣＤ−ＲＯＭ検査設備がよく使われる。傷を付けた暗号化ＣＤ−ＲＯＭをＣＤ−ＲＯＭドライブで再生すると、傷により、デバイス媒体エラーとして知られるエラー・メッセージが所定アドレスで発生されることが分かった。そのエラー・メッセージは、セクタ・データが欠落しているか又は得るのが難しいことを示すものである。傷がある暗号化されたＣＤ−ＲＯＭを別の、即ち偽造の、ガラスマスタを作るために使うと、複製設備は、欠落したデータを再構成してセクタの完全な状態を傷付かずで保持しようとする。しかし、傷を作るのにランダムＨＦ信号を使用してあるので、再構成されたデータは正確な複製とならない。偽造ガラスマスタから作った他の、即ち偽造の、ＣＤ−ＲＯＭを再生すると、データが不正確であるか又は欠落していることを示す異なるエラー・メッセージが発生されることが分かった。
【００１５】
これは、所定アドレスに傷がある暗号化されたＣＤ−ＲＯＭ及び偽造ＣＤ−ＲＯＭを夫々ＣＤ−ＲＯＭ検査設備で再生したテスト（前者をテストＡ、後者をテストＢとする。）により、証明される。暗号化ＣＤ−ＲＯＭを作るため、ガラスマスタを作るのに用いるＥＦＭ信号を、傷を作るランダムＨＦ信号を挿入するために約４０：００：００分（絶対時間）の所で中断することにより、暗号化されたガラスマスタを作った。この暗号化ガラスマスタをそれから、最終的に暗号化ＣＤ−ＲＯＭを作るのに使用した。引続き、その暗号化ＣＤ−ＲＯＭを用いて偽造ガラスマスタを作り、それから最終的に偽造ＣＤ−ＲＯＭを作った。
【００１６】
これらの暗号化及び偽造のＣＤ−ＲＯＭを、生産用に許容できるものとしてスタンパーを保証するのに使用されるテスト設備を用いることにより、高周波数（ＨＦ）、ブロック誤り率（ＢＥＲ）及びトラックピッチ・パラメータについてテストした。また、該テスト設備は、Cross-Interleave Reed-Solomon Code（ＣＩＲＣ）として知られるコード体系を用いてデータエラーを検出し訂正する動作を行うものである。テストの結果は、表１に示すとおりであった。
【００１７】
【表１】
0004082468.tif 000002
【００１８】
表１において、ＢＥＲ結果は、暗号化されたＣＤ−ＲＯＭの４０：００分の所に「Ｃ２」エラーがあったことを示す。これは、ＣＩＲＣによって訂正できなかった訂正不能のエラーを示している。しかし、上記偽造のマスタをテストしたときも、なんらエラーが検出されなかった。即ち、これは、偽造マスタを作ったとき、データが再構成されたことを示すものである。
【００１９】
引続き、暗号化及び偽造ＣＤ−ＲＯＭを夫々、検査設備と一緒に４つの異なるＣＤ−ＲＯＭドライブを用いて再生した。詳しくいうと、使用したドライブは、Philips LMS CM212 ドライブ、Toshiba XM-3401TA 2 スピードドライブ、Sony CDU-541ドライブ及びSony CDU-561 2スピードドライブであった。ただし、他のドライブを用いてもよいことを念のために述べておく。この検査テストの結果は、表２のとおりであった。
【００２０】
【表２】
0004082468.tif 000003
【００２１】
表２において、Toshiba 及び両Sonyのドライブに対して発生されたエラー・メッセージは、暗号化されたＣＤ−ＲＯＭについては同じである。詳しくいえば、発生されたエラー・メッセージ、即ち「ブロック１７９８５１にＳＣＳＩドライブ媒体エラー有り」は、これらのドライブで、暗号化されたマスタからブロック１７９８５１の所でデータを読取るのが難しい、ということを示す。Philips のドライブについては、ブロック１７９８５１で示されたエラー・メッセージは異なるが、発生されたメッセージは類似のエラー・タイプを示している。なお、Toshiba 及び両Sonyのドライブに対して示されたエラー・メッセージと全く同じもの、即ち「ＳＣＳＩデバイス媒体エラー有り」が、あとのブロック、即ちブロック１７９８５３で発生された。
【００２２】
偽造ＣＤ−ＲＯＭについては、Philips 及び両Sonyのドライブに対して発生されたエラー・メッセージ、即ち「ブロック１７９８５０にミスマッチを発見」、並びにToshiba ドライブに対して発生されたエラー・メッセージ、即ち「ブロック１７９８５０にＳＣＳＩ空白ブロック有り」は、データが不正確か又は欠落している、というタイプのエラーを示している。
【００２３】
したがって、暗号化されたガラスマスタから作られた暗号化ＣＤ−ＲＯＭを再生すると、デバイス媒体又はこれに似たタイプのエラーが発生される。しかし、偽造されたガラスマスタから作られた偽造ＣＤ−ＲＯＭを再生すると、データが再構成されて異なるタイプのエラーを示す異なるエラー・メッセージが発生される。本発明では、ＣＤ−ＲＯＭ又はそのドライブに、デバイス媒体又はこれに似たタイプのエラーが所定のアドレスに現れるかどうかを検出するように作られたエラー検出ソフトウェアが格納される。したがって、所定アドレスにデバイス媒体エラーが検出されると、その暗号化されたＣＤ−ＲＯＭが模造品でないことを示す。
【００２４】
しかし、偽造ＣＤ−ＲＯＭを再生すると、上記エラー検出ソフトウェアは、所定アドレスにデバイス媒体又はこれと類似のタイプのエラーを検出せず、これによりそのＣＤ−ＲＯＭが模造品であることが分かる。一旦ＣＤ−ＲＯＭが偽造であることが分かると、エラー検出ソフトウェアがそれ以上ＣＤ−ＲＯＭにアクセスすることを拒むか、又は偽造ＣＤ−ＲＯＭを使用不能とする他の適当な選択手段を採るように、該ソフトウェアを改作してもよい。このようにすれば、潜在的偽造者は、暗号化ＣＤ−ＲＯＭの非合法複製を諦めるであろう。更に、上記暗号化ＣＤ−ＲＯＭの傷は、目に見えて美観を損ねるようなものではなく、また使用するＣＤ−ＲＯＭドライブのトラッキング及びサーボ合焦点システムに殆ど影響を与えない。
【００２５】
図３のＡに、本発明により暗号化されたＣＤ−ＲＯＭ４４を示す。ＣＤ−ＲＯＭ４４は、表面に形成されたピット（凹み）及びランド（平坦部）によって表されるデジタル符号化データを記憶する信号面４６を有し、これが光学装置によって読み取られる。ＣＤ−ＲＯＭは、３３３，０００ブロック又はセクタを有し、各セクタは２０４８バイトのユーザ・データを含むことがある。好適な実施形態では、傷を作るのに少なくとも１つのセクタを破壊する。また、傷の形状や大きさは、ＣＤ−ＲＯＭ４４を見たとき、裸眼で見えないようなものがよい。例えば、傷は、図３のＡの小円部４８内に作られ、裸眼では見えない。図３のＢに、図３のＡの小円部４８の拡大図を示す。この図の信号面４６の一部分の上に傷５０が示され、この部分は、ランダム高周波信号のような適当な信号により破壊された少なくとも１つのセクタに対応する。これがあれば、ＣＤ−ＲＯＭ４４の信号面４６を再生したとき、エラー信号が生成される。このエラー信号は、ＣＤ−ＲＯＭ４４が模造品でないことを示す働きをし、逆にエラー信号が発生されない場合、ＣＤ−ＲＯＭが偽造であることを示す。
【００２６】
以上、本発明の実施形態について説明したが、これらに限らず、多くの変形、変更、置換が可能であることは、当業者にとって明らかであろう。したがって、本発明は、これらの変形、変更等をしたものをも包含するものである。
【００２７】
【発明の効果】
本発明の効果は、〔発明が解決しようとする課題〕の欄に記載された事項を達成することであるので、重複記載を省略する。
【図面の簡単な説明】
【図１】本発明によるマスタリング装置の概略を示すブロック図である。
【図２】本発明による図１のガラスマスタ暗号化装置１０の要部であるスイッチング装置１６の概要を示す図である。
【図３】本発明による傷をもつＣＤ−ＲＯＭを示す平面図である。
【符号の説明】
１０  ガラスマスタ暗号化装置
１２  入力源
１４  レコーダ（ＬＢＲ）
１６  スイッチング装置
１８  信号源
２０  端子手段、選択手段（コンピュータ端子）
２２  デコーダ
２４  スイッチ（アナログ・スイッチ）
３２  ＣＰＵ
４４  ＣＤ−ＲＯＭ
４６  信号面
５０  信号面の一部分（傷）
【図１】
0004082468.tif 000004
【図２】
0004082468.tif 000005
【図３】
0004082468.tif 000006